(57)【要約】【課題】上部に張り出しを有する被収納物の収納スペースを小さくし、かつ、被収納物の浮き上がりを防止する収納容器を提供すること。【解決手段】底壁の辺と連接する辺の対辺に折り曲げ可能に連接され、折り返しにより空隙を形成するフラップ２３〜２５とを備える外箱１０と、四本の平行な折り目を有するほぼ長方形状の板を、内側の２本は谷折りに、外側の２本は山折りに折り曲げて五つの面４１ａ／ｂ、４２ａ／ｂ、４３を形成し、外側の２面４１ａ／ｂをそれぞれ中央の面４３とほぼ平行に形成し、内側の２本の折り目には、該折り目が途切れている不連続部が形成され、該不連続部の両側の折り目から中央の面の側にせり出した切込みが形成され、切込みで切られた部分４４は、外側の面と中央の面との間の面４２ａ／ｂと折り曲げられずに接続し、外箱に収納される中仕切り４０を備える収納容器。【選択図】  図１
2006312469.tif 000002
【特許請求の範囲】
【請求項１】
矩形の底壁と、
該底壁の四辺にそれぞれ連接して枡形を形成する第１〜第４の側壁と、
第１の側壁において前記底壁の辺と連接する辺の対辺に折り曲げ可能に連接する蓋と、
前記第１の側壁に隣接する第２の側壁の少なくとも一方の側壁において、前記底壁の辺と連接する辺の対辺に折り曲げ可能に連接され、折り返しにより空隙を形成するフラップとを備える外箱と；
四本の平行な折り目を有するほぼ矩形の板を、内側の２本は谷折りに、外側の２本は山折りに折り曲げて五つの面を形成し、外側の２面をそれぞれ中央の面とほぼ平行に形成し、
前記内側の２本の折り目には、該折り目が途切れている不連続部が形成され、該不連続部の両側の前記折り目から前記中央の面の側にせり出した切込みが形成され、該切込みで切られた部分が、前記外側の面と前記中央の面との間の面と折り曲げられずに接続されている、
前記外箱に収納される中仕切りとを備える；
収納容器。
【請求項２】
前記フラップが、２本の折り目により断面コの字状に形成される；
請求項１に記載の収納容器。
【請求項３】
前記外箱の底壁が、ワンタッチ底である；
請求項１または請求項２に記載の収納容器。
【請求項４】
正方形断面を有する四角柱状の形状で、各側面に異なる数または大きさの穴が形成されているボトル中仕切りを備える；
請求項１ないし請求項３のいずれか1項に記載の収納容器。
【発明の詳細な説明】
【技術分野】
【０００１】
本発明は、複数の被収納物を収納するための収納容器に関し、特に上部に張り出しを有する被収納物の収納スペースを小さくし、かつ、被収納物の浮き上がりを防止する収納容器に関する。
【背景技術】
【０００２】
試薬等の入ったカートリッジは、例えば図７に示すように、数種類の試薬を一つのカートリッジに収容するため、長さの異なる筒を有し、該筒の上端を1枚の長方形板にて結合している。そのため、カートリッジは、上部に張り出しを有する形状をしている。従来は、該カートリッジの上部張り出しを下から支える、平行な２辺を有する長方形の枠により、複数のカートリッジを数列に並べて収容していた（例えば、特許文献１参照）。
【特許文献１】登録実用新案第３０９５００９号公報（図１）
【発明の開示】
【発明が解決しようとする課題】
【０００３】
しかし、張り出しを有するカートリッジを同一平面上に並べると、張り出しの張り出し方向において、張り出しの長さの分だけスペースが必要となるので、その分だけ余計にスペースを要することになる。また、下から支えているので、輸送中などにカートリッジが浮き上がることがあり、浮き上がりのためにカートリッジがケースから脱落する可能性もあった。さらに、ケースが横にある他のケースに乗り上げる可能性があった。そこで、本発明は、上部に張り出しを有する被収納物の収納スペースを小さくし、かつ、被収納物の浮き上がりを防止する収納容器を提供することを目的とする。
【課題を解決するための手段】
【０００４】
上記の目的を達成するため、請求項１に記載の発明に係る収納容器は、例えば図１、図３および図４に示すように、矩形の底壁３１と、底壁３１の四辺にそれぞれ連接して枡形を形成する第１〜第４の側壁１１〜１４と、第１の側壁１１において底壁３１の辺と連接する辺Ａの対辺Ｂに折り曲げ可能に連接する蓋２１と、第１の側壁１１に隣接する第２の側壁の少なくとも一方の側壁１２（１４）において、底壁３１の辺と連接する辺Ａの対辺Ｂに折り曲げ可能に連接され、折り返しにより空隙を形成するフラップ２３〜２５とを備える外箱１０と；四本の平行な折り目４５〜４８を有するほぼ矩形の板を、内側の２本４６、４７は谷折りに、外側の２本４５、４８は山折りに折り曲げて五つの面４１ａ、４２ａ、４３、４２ｂ、４１ｂを形成し、外側の２面４１ａ、４１ｂをそれぞれ中央の面４３とほぼ平行に形成し、内側の２本の折り目４６、４７には、該折り目が途切れている不連続部が形成され、該不連続部の両側の折り目４６、４７から中央の面４３の側にせり出した切込み４９が形成され、切込み４９で切られた部分４４は、外側の面４１ａ、４１ｂと中央の面４３との間の面４２ａ、４２ｂと折り曲げられずに接続し、外箱１０に収納される中仕切り４０とを備える。
【０００５】
このように構成すると、中仕切りの中央の面は切込みで切られた部分に支えられ底壁より高い位置となり、その中仕切りの中央の面に一の被収納物を載置し、外側の面の下にそれぞれ被収納物を収めることにより、張り出しを有する被収納物の高さを違えて収納することができる。そのために、張り出しが互い違いになり、上部に張り出しを有する被収納物の収納スペースを小さくすることができる。また、折り返しにより空隙の形成されたフラップで、中央の面に載置され高さの高くなった被収納物を上から押えることができ、また、中仕切りの外側の面で、外側の面の下に収められた被収納物の上部を押えることができる。フラップには空隙が形成されているので、フラップがクッションのようにたわみ性を持って被収納物を安定的に押えることができ、そのために、被収納物の浮き上がりが防止される。
【０００６】
また、請求項２に記載の発明に係る収納容器においては、請求項１に記載の収納容器において、例えば図２に示すように、フラップ２３〜２５が、２本の折り目により断面コの字状に形成されてもよい。
【０００７】
このように構成すると、フラップの断面がコの字状に形成されるので、空隙が形成されてクッションのようにたわみ性を持ったフラップが、容易に形成できる。
【０００８】
また、請求項３に記載の発明に係る収納容器においては、請求項１または請求項２に記載の収納容器において、例えば図２（ｃ）に示すように、外箱１０の底壁２６、２８が、ワンタッチ底であるように構成してもよい。
【０００９】
このように構成すると、外箱がワンタッチ底であるので組立て易く、使い勝手のよい収納容器となる。
【００１０】
さらに、請求項４に記載の発明に係る収納容器においては、請求項１ないし請求項３のいずれか1項に記載の収納容器において、例えば、図１および図６に示すように、正方形断面を有する四角柱状の形状で、各側面６１〜６４に異なる数または大きさの穴６６が形成されているボトル中仕切り６０を備えてもよい。
【００１１】
このように構成すると、例えば、上部に張り出しを有する被収納物に加え、複数のボトルを収納するときに、一つのボトル中仕切りで、異なる本数あるいは大きさのボトルを収納することができる収納容器となる。
【発明の効果】
【００１２】
本発明の収納容器によれば、四本の平行な折り目を有するほぼ長方形状の板を、内側の２本は谷折りに、外側の２本は山折りに折り曲げて五つの面を形成し、外側の２面をそれぞれ中央の面とほぼ平行に形成し、内側の２本の折り目には、該折り目が途切れている不連続部が形成され、該不連続部の両側の折り目から中央の面の側にせり出した切込みが形成され、切込みで切られた部分は、外側の面と中央の面との間の面と折り曲げられずに接続ている中仕切りを備えているので、被収納物を高さを違えて収納することができ、また、折り返しにより空隙を形成するフラップを備えているので、被収納物の天面をフラップで押え、加えて、中仕切りの外側の面でも被収納物の上部を抑えることができる。そのために、被収被収納物の収納スペースを小さくすることができ、かつ、被収納物の浮き上がりが防止される収納容器を提供することができる。
【発明を実施するための最良の形態】
【００１３】
以下、図面を参照して本発明の実施の形態について説明する。なお、各図において、互いに同一又は相当する部品等には同一符号を付し、重複した説明は省略する。
【００１４】
図１を参照して、本発明による収納容器の典型的な実施の形態を説明する。図１（ａ）は、本発明による収納容器の典型的な実施の形態を示す断面側面図である。図１（ａ）では、上部に張り出しを有する被収納物７０（個々の被収納物７０ａ、７０ｂ、７０ｃの総称として、特に個々を区別する必要がないときに「７０」とする。以下の接尾記号ａ、ｂ、・・・が付加された符号と付加されない符号においても、同様の関係である。）を３列収納し、かつ、被収納物７０よりも背の高い被収納物であるボトル８０を収納する収納容器１を示す。収納容器１は、外箱１０と、被収納物７０の収納される位置を定める中仕切り４０と、ボトル８０の収納される位置を定めるボトル中仕切り６０とを備える。
【００１５】
ここで、図１（ａ）に加えて図２および図３を参照して、外箱１０について説明する。図２（ａ）は外箱１０の斜視図、図３は外箱１０の展開図である。なお、図３中、破線は折り目を示す。外箱１０は、矩形の底壁３１と、底壁と折り目Ａを介して連接した四つの側壁１１〜１４と、第１の側壁としての側壁１１に折り曲げ可能に折り目Ｂを介して連接した蓋２１と、側壁１１に隣接する第２の側壁としての側壁１２、１４に折り曲げ可能に折り目Ｂを介して連接したフラップ２３〜２５とを備える。ここで、矩形とは、正方形と長方形とを含んだ形状である。底壁３１と側壁１１〜１４とで枡形をなすが、蓋２１を閉めることにより、外箱１０は直方体となる。蓋２１の側壁１１と連接する辺と対向する辺
に、折り曲げ可能に差し込み片２２が連接されている。差し込み片２２は、蓋２１を閉じるときに、側壁１３の内側に差し込まれ、蓋２１が開くのを防止している。
【００１６】
フラップ２３〜２５は、側壁１２、１４に連接するフラップ基２３と、フラップ基２３において側壁１２、１４とは反対の側に折り曲げ可能に連接するフラップ折込２４と、フラップ折込２４においてフラップ基２３とは反対の側に折り曲げ可能に連接するフラップ先２５とを有する。フラップ基２３は、側壁１２、１４側からフラップ折込２４側に向けて僅かに細くなる台形形状を有するが、同じ幅を有する長方形であってもよい。ここで、フラップ２３〜２５について、フラップ基２３が側壁１２、１４と連接する辺の向きを幅、展開図においてフラップ基２３からフラップ先２５が並ぶ向きを長さとし、フラップ基２３からフラップ先２５への方向が、「先」とする。フラップ基２３の幅を僅かに細く形成することにより、フラップ２３〜２５を蓋２１の下で側壁１１〜１４で囲まれた枡形内に入れ易くなる。フラップ折込２４は、フラップ基２３と連接する部分と同じ幅を有し、長さの短い長方形形状をしている。フラップ先２５は、フラップ折込２４と同じ幅で、フラップ基２３の長さ（すなわち、台形の高さ）より僅かに短い長さの長方形である。フラップ折込２４は、フラップ基２３の先端で、底壁３１方向にほぼ直角に折り曲げられ、フラップ先２５は、フラップ折込２４の先端で、フラップ基２３の連接する側壁１２、１４方向にほぼ直角に折り曲げられる。すなわち、フラップ２３〜２５は、断面がコの字状に形成され、空隙を形成する。フラップ先２５の長さがフラップ基２３の長さより僅かに短いので、フラップ先２５の先端が側壁１２、１４の内面に当接することがなく、上下に動き易くなる。しかし、フラップ先２５の長さをフラップ基２３と同じ長さとしてもよい。なお、図２（ｂ）の部分断面図に示すように、フラップ２３〜２５には、そのフラップ先２５のフラップ折込２４とは反対の側に、更にフラップ端２９を折り曲げ可能に連接し、フラップ端２９をフラップ基２３と貼り合わせて、断面をロの字状としてもよい。この断面ロの字状は、断面コの字状の変形であり、その一形態である。あるいは、フラップ基２３の先端で折り返されたフラップ先が波型断面を有するなど、他の形の断面であっても、空隙を形成するような形状を有していればよい。
【００１７】
外箱１０は、相似な形状のフラップ２組２３ａ、２４ａ、２５ａ、２３ｂ、２４ｂ、２５ｂを備え、それぞれが相対する側壁１２、１４に連接している。そして、フラップ基２３ａ、２３ｂの長さは、二つのフラップ２３ａ〜２５ａ、２３ｂ〜２５ｂを蓋２１の下に組み入れたときに、ちょうどフラップ折込２４ａ、２４ｂが接触するくらいに近づくように、側壁１１、１３の長さの約半分となっている。なお、フラップ基２３ａ、２３ｂの長さは互いに異なっていてもよく、その場合にも、フラップ折込２４ａ、２４ｂが接触するくらいに近づくように、２つのフラップ基２３ａ、２３ｂの長さの合計が、側壁１１、１３の長さとほぼ等しくなるようにすることが好ましい。あるいは、一つのフラップ２３〜２５だけが、側壁１２、１４の少なくとも一方の側壁にだけ連接していてもよい。
【００１８】
側壁１１〜１４は、４枚の長方形板が、図３に示す糊代片１５でつながれることにより、断面が長方形に形成されたもので、底壁３１（図３では、２６、２８）の四辺にそれぞれ直角に接続し、底壁３１と共に、枡形に形成される。この底壁３１と側壁１１〜１４で形成された枡形の上部の開口部を、フラップ２３〜２５および蓋２１で蓋をする構成となっている。
【００１９】
底壁３１は、１枚の長方形板で形成されてもよいが、外箱１０では、図３に示すように、大底片２６および底糊代片２７と、小底片２８とで構成されている。図３の展開図のように加工された平板を用い、糊代片１５を側壁１４に貼り合せ、側壁１１〜１４を連続に形成した上で、底糊代片２７を小底片２８に貼り合せる。そして、大底片２６と底糊代片２７との間の折り目を折り目として、貼り合せた大底片２６と小底片２８とを、側壁１１〜１４の内面に接するように折り曲げる。すると、大底片２６ａと小底片２８ａとは側壁１１、１２に、大底片２６ｂと小底片２８ｂとは側壁１３、１４に挟まれることになる。すなわち、側壁１１と側壁１４とが平らに、また側壁１２と側壁１３とが平らになり、側壁１１と側壁１２および側壁１３と側壁１４との折れ曲がり箇所は、ほぼ１８０度曲げられた形となる。このように薄く折りたたんだ外箱１０のほぼ１８０度曲げられた２つの折れ曲がり箇所を互いに押す（図２（ｃ）中、Ｆ方向に押す）ことにより、大底片２６ａ、２６ｂと小底片２８ａ、２８ｂとの貼り合わされた２つの片が底壁を構成することになる。よって、箱とすることができる。上述のように、薄く折りたたんだ外箱１０の２つのほぼ１８０度曲げられた折れ曲がり箇所を互いに押すことにより、簡単に箱を形成できる底壁の構造をワンタッチ底という。なお、図２（ｃ）中、側壁１３、１４で隠された部分であって、大底片２６と小底片２８とを二点鎖線で、大底片２６あるいは小底片２８と側壁１１〜１４との折り目を破線で示す。
【００２０】
図１（ａ）に戻り、収納容器１の説明を続ける。３列の被収納物７０は、中仕切り４０で仕切られ、張り出し方向に３列並べて収納されている。３列の被収納物７０のうちの中央の被収納物７０ｂは、中仕切り４０により持ち上げられた位置で収納されている。そのために、３列の被収納物７０の張り出しが当接することなく、張り出しは上下互い違いに重ねられたような状態となる。
【００２１】
ここで、さらに図４を参照して、中仕切り４０について説明する。図４（ａ）は、中仕切り４０の成形前の状態を示す平面図、（ｂ）は成形後（使用状態）の中仕切り４０の斜視図である。成形前の中仕切り４０は、１枚四隅に丸みを持った、ほぼ長方形の平板から成形される。平板は、ほぼ正方形であってもよい。なお、四隅に丸みを持っていなくてもよいが、丸みを持たせることにより、四隅が損傷を受けにくくすることができる。ほぼ長方形の平板は、その長手方向に平行な折り目４５〜４８を４本有しており、いずれもほぼ長方形の、２つの外側の面４１ａ、４１ｂ、１つの中央の面４３および、２つの外側の面４１ａ、ｂと中央面４３との間の面４２ａ、４２ｂ（以降、中間面４２ａ、４２ｂという。）とに区画されている。４本の折り目４５〜４８のうち、内側の２本の折り目４６、４７には、途中で途切れた不連続部がある。その不連続部と折り目との境界（折り目の端部）から、板厚を貫通している切込み４９が中央の面４３側にせり出しており、切込み４９は不連続部の両側の折り目をつないでいる。すなわち、切込み４９により中央の面４３側にせり出した膨らみ部４４が形成されている。膨らみ部４４は、２本の折り目４６、４７に対し、同じ形状にそれぞれ２つずつ形成されており、後述するように中仕切り４０を使用状態に成形した後は脚４４となる。そのため、同じ形状でなくてもよいが、折り目４６、４７からせり出す長さは等しくする。また、膨らみ部４４は、ほぼ長方形に形成されているが、他の形状であってもよい。ただし、せり出した先端の部分に折り目４６、４７と平行となる辺を有する形状とすることが、脚として用いられたときに、底壁３１と接する部分が損傷を受けにくいので、好ましい。
【００２２】
図４（ａ）では、内側の折り目４６、４７を一点鎖線で、外側の折り目４５、４８を破線で示しているが、内側の折り目４６、４７は谷折り、外側の折り目４５、４８は山折りすることにより、逆Ω形に成形し、外側の面４１と中央の面４３とをほぼ平行とする。そのときに、膨らみ部４４は、中間面４２と一体に保たれ、折り曲げられない。すると、図４（ｂ）の斜視図に示すような、あるいは、図１（ａ）に断面を示すような形状となる。使用状態に成形した後の中仕切り４０については、、外側の面４１を天板４１と、中間面４２を側板４２と、中央の面４３を底板４３と、膨らみ部４４を脚４４という。すなわち、中仕切り４０は、底板４３が、脚４４の高さだけ持ち上げられ、その両側で、側板４２の高さだけ上方に、両側に広がった天板４１を有する。
【００２３】
なお、図５に示すように、内側の２本の折り目５６、５７の途中で途切れた不連続部が、折り目５６、５７のそれぞれの中央部付近で、長く１箇所だけであり、すなわち切込み５９がそれぞれ１本で、一つの膨らみ部（あるいは脚）５４が形成されていてもよい。図５（ａ）は、中仕切り５０の成形前の状態を示す平面図、（ｂ）は成形後（使用状態）の中仕切り５０の斜視図である。膨らみ部５４が１つずつであると、中仕切り５０を組立て易くなる。あるいは、膨らみ部（脚）は、３つずつあるいはそれ以上に形成されてもよい。膨らみ部が多く形成されていると、底板４３に被収納物７０を載置したときに、被収納物７０の重量を分散して受け、底板４３の変形が小さく抑えられる。さらに、膨らみ部４４の形成される位置が２本の折り目４６、４７で成形前に互いに干渉しない位置とすることにより、同じ底板の幅であっても、脚４４の高さを大きく形成することができる。
【００２４】
再び図１（ａ）に戻り、収納容器１の説明を続ける。収納容器１は、ボトル中仕切り６０を備えている。ボトル中仕切り６０は、ボトル８０が収納容器１内で動かないようにするための中仕切りである。ボトル中仕切り６０は、所定の幅を有し、収納容器１内で被収納物７０と一緒になって、外箱１０の幅（図１（ａ）のＸ方向）と略等しい幅となる。すなわち、所定の幅とは、被収納物７０と一緒になって外箱１０の幅と略等しくなるだけの幅をいう。ボトル８０は、ボトル中仕切り６０に形成された穴に入れられることにより、収納容器１内で動かなくなる。
【００２５】
ここで、さらに図６を参照して、ボトル中仕切り６０について説明する。図６（ａ）は、ボトル中仕切り６０の展開図を、（ｂ）は、斜視図を示す。図６（ａ）で破線は折り目を、図６（ａ）および（ｂ）で、一点鎖線は、切込みであって一部が切り込まれずに残され、切り離されていない状態であることを示す。ボトル中仕切り６０は、ほぼ長方形の平板を均等な間隔で４つの面６１〜６４に区切る、３本の平行な折り目を有し、同じ向きに各折り目で直角に折り曲げられる。折り曲げられて接触する端面のいずれか一方（図６（ａ）では、面６１側）に糊代片６５を備え、糊代片６５を接触する面６４に貼り合わせることにより、断面が正方形の四角柱形状に形成される。ボトル中仕切り６０では、四角柱の端部は開口しているが、端部に正方形の面を形成してもよい。端部が面で閉じられることにより、四角柱形状が変形しにくくなる。一方、端部に面を形成しなければ、製作が容易となる。
【００２６】
各面６１〜６４には、ボトル８０を入れるための穴６７を形成する切込みが入れられている。切込みは、切込みで囲まれた部分（この部分が除去されることにより、ボトルを入れる穴が形成される）が切り離されないように僅かに一部が切り込まれずに残されている。このような状態であっても、穴６６が形成されているという。穴６６の切込みで囲まれた部分を切り離し削除することで、ボトル８０を入れるための穴６７となる。穴６６は、各面６１〜６４によって、異なる数だけ形成されている。すなわち、面６１には１、面６２には２、面６３には３、面６４には４の穴６６が形成されている。なお、ボトル中仕切り６０では、同じ大きさの１から４の穴６６が形成されているが、穴６６の数は上記に限られない。また、大きさを変えた穴６６を、各面６１〜６４に形成してもよい。ここで、「大きさ」には、相似形状の穴における大きさだけではなく、形状も含むものとし、大きさを変えた穴６６とは、形状が異なる穴をも含む。例えば、ボトル８０の断面が円形であれば、穴の形状も円形でよいが、例えばボトル８０の断面が四角形であれば、穴の形状も四角形とすることが、ボトル８０の動きを抑える上で好ましく、円形の穴と四角形の穴とが形成されている場合も、大きさの異なる穴という。
【００２７】
ここで、図１に戻り、収納容器１の説明を続ける。図１（ｂ）は、収納容器１の上面図である。図１（ｂ）では、図１（ａ）に示した蓋２１や差込片２２を省略し、被収納物７０およびボトル８０も省略している。図１（ｂ）中、フラップ基２３等に隠された部分について、フラップ先２５は破線で、中仕切り４０およびボトル中仕切り６０は二点鎖線で示す。図１（ｂ）に示すように、中仕切り４０およびボトル中仕切り６０は、その長さ方向（図１（ｂ）の上下方向）において、外箱１０とほぼ同じ長さを有しており、収納容器１において、長さ方向に動くことがない。
【００２８】
外箱１０、中仕切り４０およびボトル中仕切り６０は、典型的には紙製であるが、材質は紙には限られない。例えば、プラスチックや、アルミニウムなどの金属であってもよい。外箱１０と中仕切り４０とボトル中仕切り６０との材質は同一であるのが一般的であるが、それぞれの材質が異なっていてもよい。
【００２９】
次に、図１（ａ）を参照して、本発明の収納容器１の作用効果を詳しく説明する。先ず、上部に張り出しを有する被収納物７０が中仕切り４０で３列に仕切られているので、前述のように、３列の被収納物７０のうちの中央の被収納物７０ｂは、中仕切り４０の底板４３により持ち上げられた位置で収納されている。一方、両端の被収納物７０ａ、７０ｃは、底壁３１上に直接載置される。そのために、３列の被収納物７０の張り出しが、上下互い違いに重ねられたような状態となり、当接することがなくなる。したがって、３列の被収納物７０の全体の幅に占める張り出しの長さを減少させることができ、それだけ収納スペースを小さくすることができる。また、中央の被収納物７０ｂが他の被収納物７０ａ、７０ｃよりも上方に突き出ているので、つまみ易く、すなわち、被収納物７０を収納容器１から取り出し易くなる。
【００３０】
ここで、図７を参照して、被収納物７０の典型例として、試薬カートリッジ７１のカートリッジセット７３について、簡単に説明する。試薬カートリッジ７１は、例えば、抗原結合固相または抗体結合固相を入れ、反応、検出等を行う試験管状の筒７５ａと、検体または希釈液を入れ、反応、希釈等を行う試験管状の筒７５ｂと、標識抗体または標識抗原を入れる試験管状の筒７５ｃとで構成される３本の筒７５（７５ａ、７５ｂ、７５ｃの総称で、「７５」とする。）を備え、抗原結合固相または抗体結合固相を入れる筒７５ａが、他の２本より長くなっている。これら３本の筒７５が、開口部を上向きにして、上面を揃えて直線状に並び、その開口部付近で、ほぼ長方形の結合片７６にて一の試薬カートリッジ７１としてまとめられている。結合片７６は３本の筒が並んでいる方向の両側で、３本の筒７５よりも外側に張り出している。なお、３本の筒７５の開口部は、1枚のシールで覆われ、筒７５内の試薬が蒸発することや筒７５内に塵などが侵入することなどが防止されている。
【００３１】
試薬カートリッジ７１は、3本の筒７５が並んだ方向に長い形状をしている。この試薬カートリッジ７１は、カートリッジケース７２に、３本の筒７５が並んだ方向と垂直の方向に並べて収容される。カートリッジケース７２は、試薬カートリッジの張り出した結合片７６の両側を下から支える２本の平行な辺を有し、該辺と直交する２辺とで形成されている長方形の枠７７を有する。枠７７は、上面が開いた直方体の支持体７８により支持される。支持体７８は、試薬カートリッジ７１を枠７７で支えたときに、長い筒７５ａの底が当たらないだけの高さを有する。なお、枠７７は長方形ではなく、試薬カートリッジの張り出した結合片７６の両側を下から支える２本の平行な辺に該当する２本の棒を有し、支持体７８は上面が開いた直方体ではなく、枠７７あるいは２本の棒を支える支柱で構成されてもよい。枠７７内に、複数の試薬カートリッジ７１を、枠７７の短辺方向に結合片７６の張り出し方向を向けて並べることにより、カートリッジケース７２に試薬カートリッジ７１が収容されたカートリッジセット７３となる。カートリッジセット７３は、ほぼ直方体であるが、その上部で、試薬カートリッジ７１の張り出しおよび枠７７の分だけ、水平断面の短手方向に張り出しを有する。
【００３２】
図１（ａ）に戻って、収納容器１の作用効果の説明を続ける。中仕切り４０の底板４３上に載置された被収納物７０ｂの天面が、フラップ先２５で押さえられている。実際には、被収納物７０ｂの天面が、断面コの字状に形成されたフラップ２３〜２５の下面、すなわちフラップ先２５に接する高さとなるように、中仕切り４０の脚４４の高さを調整している。このように、フラップ２３〜２５により被収納物７０ｂの天面を押さえることにより、被収納物７０ｂが、例えば輸送中に、浮き上がることが防止される。なお、フラップ２３〜２５は、フラップ基２３が蓋２１の直下に位置するので、上方に浮き上がることが防止されている。ここで、フラップ２３〜２５に空隙が形成されているので、フラップ先２５はクッションのように上下に変形可能であり、被収納物７０ｂの高さの変動に追随することができる。また、収納容器１が上下に振動したときにも、被収納物７０ｂに衝撃力を与えなくて済む。なお、図２（ｂ）に示すように、フラップ２３〜２５、２９が断面ロの字状に形成されていると、フラップ２３〜２５、２９のクッションのようなたわみ性の位置による差異が少なくなる。
【００３３】
また、中仕切り４０の天板４１は、両側の被収納物７０ａ、７０ｃの天面を押える。すなわち、側板４２の高さ（成形前の幅）は、天板４１が被収納物７０ａ、７０ｃの天面と一致するように調整されている。中仕切り４０自体は、底板４３に被収納物７０ｂを載置し、被収納物７０ｂがその天面をフラップ２３〜２５により押えられているので、浮き上がることが防止されている。そのため、天板４１により天面を押えられた被収納物７０ａ、７０ｃも、例えば輸送中に、浮き上がることが防止される。なお、天板４１は、側板４２から折り曲げられることによりほぼ水平（底板４３に平行）の状態を保っているが、その天板４１がその端部（図１（ｂ）の上下端）において、外箱１０の内面と接触していると、被収納物７０ａ、７０ｃが浮き上がろうとして、天板４１を上方向に押しても、天板４１の端部と外箱１０の内面との摩擦により、天板４１の変形がさらに抑えられるので、好適である。あるいは、中央の被収納物７０ｂの張り出しを天板４１の上に被せるようにして、天板４１の浮き上がりを中央の被収納物７０ｂの張り出しで押えるようにしてもよい。このように被収納物７０の天面を押えるので、被収納物７０がカートリッジセット７３（図７参照）の場合には、カートリッジ７１（図７参照）がカートリッジケース７２（図７参照）から浮き上がることも防止される。
【００３４】
収納容器１は、さらにボトル８０を収納している。ボトル８０は、例えば、試薬カートリッジ７１（図７参照）と共に用いられる試薬を入れたボトルであって、試薬カートリッジセット７３（図７参照）と組になって、試薬セットを構成する。このようなボトル８０は、試薬カートリッジセット７３と一緒に収納されることが好ましいが、典型的には、ボトル８０は試薬カートリッジセット７３よりも、高さが高い。そこで、収納容器１によれば、脚４４で持ち上げられた底板４３上に載置した被収納物７０ｂ（すなわち試薬カートリッジセット７３）の高さを、ボトル８０の高さと同じにすることができるので、ボトル８０の浮き上がりがフラップ２３〜２５で防止され、一つの箱で、被収納物７０ｂもボトル８０も浮き上がりを防止することができる。また、ボトル８０の高さが被収納物７０ｂの高さよりも高い場合には、ボトル８０の上部の形状に対応した穴やフラップを変形させた凹部（図示せず）をフラップ２５に設けることもできる。さらに、ボトル８０の高さが被収納物７０ｂの高さより低い場合には、ボトル８０の頂部に位置するフラップの一部を変形させて凸部（図示せず）をフラップ２５に設けることもできる。
【００３５】
また、ボトル中仕切り６０には、四角柱形状の各面６１〜６４に異なる数あるいは大きさの穴６６（図６参照）が形成されているので、ボトルの本数は種類の異なる試薬セットを一つの収納容器１で収納することができる。したがって、製作する収納容器の種類を減少させ、また、ストックを減らすことができる。
【００３６】
ここで、ボトル中仕切り６０に形成された穴６６（図６参照）は、僅かに一部が切り込まれずに残されていることにより、切込みで囲まれた部分が切り離されていない。すなわち、使用する面の穴６６だけが切込みで囲まれた部分が切り離され実際に穴６７が開けられており、他の穴６６は閉じられたままである。そこで、ボトル８０を収容すべき穴６７だけが開いており、その穴６７にはボトルが収容された状態となる。そのために、収納容器１を開けたときに、もしボトルを収容していない開けられた穴６７があれば、作業に手違いがあったことが分かる。よって、収納されているボトル８０の本数が誤っていないことが容易に確認される。
【００３７】
また、収納容器１では、被収納物７０とボトル中仕切り６０とで、外箱１０の幅（図１（ａ）のＸ方向）とほぼ同じ幅とすることが好ましい。被収納物７０とボトル中仕切り６０との隙間が、被収納物７０やボトル中仕切り６０が幅方向に移動しない程度に小さくすることにより、例えば輸送中の被収納物７０やボトル中仕切り６０の動きが抑えられる。
【００３８】
また、外箱１０がワンタッチ底を有しているので、使用するまでは外箱１０を平たくつぶしておいて、輸送やストックを容易にし、かつ、使用するときには、容易に箱に成形できるので、使用し易い。
【００３９】
なお、これまでの説明では、収納容器１を中仕切り４０とボトル中仕切り６０とを備えているとしてきたが、ボトル中仕切り６０は、必ずしも備えていなくてもよい。そのときには、被収納物７０だけで、外箱１０の幅とほぼ等しくなるように外箱１０の形状を変更すればよい。
【００４０】
また、図８の模式的部分断面図に示すように、被収納物は３列でなくてもよい。（ａ）は被収納物７０が２列の場合、（ｂ）は５列の場合、（ｃ）は６列の場合の被収納物７０と中仕切り４０との断面形状を示している。２列のときには、図１（ａ）に示した両側の被収納物７０ａ、７０ｃの内のいずれか一つと中央の被収納物７０ｂとを収納すればよく（図８（ａ）参照）、４列以上であれば、中仕切り４０を並列に配置すればよい。その際に、４列あるいは５列であれば、中仕切り４０の天板４１を、同じ列の被収納物７０ｃに被せればよいし（図８（ｂ）参照）、６列であれば、図１（ａ）に示す中仕切り４０と被収納物７０との組み合わせを２つ並べればよい（図８（ｃ）参照）。このように、列の数が異なっていても、対応することができる。
【図面の簡単な説明】
【００４１】
【図１】本発明による収納容器の典型的な実施の形態を説明する図である。（ａ）は、断面側面図、（ｂ）は上面図である。
【図２】外箱を説明する図である。（ａ）は斜視図、（ｂ）は断面ロの字状に形成されたフラップの部分断面図、（ｃ）はワンタッチ底の作用を説明する斜視図である。
【図３】外箱の展開図である。
【図４】中仕切りを説明する図である。（ａ）は、成形前の中仕切りを説明する平面図、（ｂ）は成形後の中仕切りを説明する斜視図である。
【図５】中仕切りの変形例を説明する図である。（ａ）は、成形前の中仕切りを説明する平面図、（ｂ）は成形後の中仕切りを説明する斜視図である。
【図６】ボトル中仕切りを説明する図である。（ａ）は、展開図、（ｂ）は斜視図である。
【図７】被収納物の典型例としてのカートリッジセットを示す斜視図である。
【図８】被収納物の列数を変えたときの、被収納物と中仕切りの構成を説明する模式的部分断面図である。（ａ）は被収納物が２列の場合、（ｂ）は５列の場合、（ｃ）は６列の場合を示す。
【符号の説明】
【００４２】
１  収納容器
１０  外箱
１１〜１４  側壁
１５  糊代片
２１  蓋
２２  差込片
２３  フラップ基（フラップ）
２４  フラップ折込（フラップ）
２５  フラップ先（フラップ）
２６ａ、２６ｂ  大底片（底壁）
２７ａ、２７ｂ  底糊代片（底壁）
２８ａ、２８ｂ  小底片（底壁）
２９  フラップ端（フラップ）
３１  底壁
４０、５０  中仕切り
４１ａ、４１ｂ  天板（外側の面）
４２ａ、４２ｂ  側板（外側の面と中央の面の間の面、中間面）
４３  底板（中央の面）
４４、５４  脚（膨らみ部）
４５〜４８、５６、５７  折り目
４９、５９  切込み
６０  ボトル中仕切り
６１〜６４  面
６５  糊代片
６６、６７  穴
７０  被収納物
７１  カートリッジ
７２  カートリッジケース
７３  カートリッジセット
８０  ボトル
Ａ、Ｂ  折り目
【図１】
2006312469.tif 000003
【図２】
2006312469.tif 000004
【図３】
2006312469.tif 000005
【図４】
2006312469.tif 000006
【図５】
2006312469.tif 000007
【図６】
2006312469.tif 000008
【図７】
2006312469.tif 000009
【図８】
2006312469.tif 000010